(57)【要約】【課題】主に各種電子機器の操作に用いられるリモコン送信機に関し、表示手段の表示が見易く、容易な操作が可能なものを提供することを目的とする。【解決手段】照光手段１５のトランジスタ１５Ａのベースとベース抵抗１５Ｄの間に分圧抵抗１５Ｅを、トランジスタ１５Ａのエミッタに制限抵抗１５Ｆを各々設けることによって、照光手段１５が表示手段２を照光している状態で、操作体３を押圧操作して送信手段６からリモコン信号を送信した場合でも、発光素子１５Ｂに流れる電流を一定に保つことができるため、発光素子１５Ｂのちらつきのない良好な照光が行え、表示手段２の表示が見易く容易な操作が可能なリモコン送信機を得ることができる。【選択図】図１
2010050659.tif 000002
【特許請求の範囲】
【請求項１】
略箱型のケース上面に装着された表示手段と、上記ケース上面に設けられた操作体の操作によって電気的接離を行うスイッチ接点と、上記表示手段を下面から照光する照光手段と、上記スイッチ接点の電気的接離に応じて、送信手段からリモコン信号を送信する制御手段からなり、照光手段をトランジスタのコレクタに接続された発光素子、及びベースに接続されたベース抵抗から形成すると共に、上記トランジスタとベース抵抗の間に分圧抵抗を、トランジスタのエミッタに制限抵抗を各々設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、液晶表示素子等の表示手段を設け、この表示手段に温度や音量等の操作機能を表示することによって、高機能な操作を行い易くしたものが増えている。
【０００３】
このような従来のリモコン送信機について、図４〜図６を用いて説明する。
【０００４】
図４は従来のリモコン送信機のブロック回路図、図５は同斜視図であり、同図において、１は略箱型で絶縁樹脂製のケース、２は液晶表示素子等の表示手段、３は絶縁樹脂やゴム等の操作体で、表示手段２がケース１上面に装着されると共に、複数の操作体３がケース１上面の開口孔から上下動可能に突出している。
【０００５】
そして、ケース１内には上下面に複数の配線パターンが形成された配線基板（図示せず）が収納され、複数の操作体３下方の配線基板上面には、操作体３の上下動によって、電気的接離を行う複数のスイッチ接点４が形成されている。
【０００６】
また、表示手段２下方の配線基板上面には、トランジスタ５Ａのコレクタに直列に接続された発光ダイオード等の発光素子５Ｂと制限抵抗５Ｃ、及びベースに接続されたベース抵抗５Ｄから形成された照光手段５が設けられている。
【０００７】
さらに、この配線基板には同様に、トランジスタ６Ａや発光素子６Ｂ、制限抵抗６Ｃ、ベース抵抗６Ｄから形成された送信手段６が設けられると共に、マイコン等によって制御手段７が形成され、この制御手段７に配線パターンを介して、表示手段２やスイッチ接点４、照光手段５、送信手段６、電池８等が接続されて、リモコン送信機が構成されている。
【０００８】
以上の構成において、リモコン送信機を操作する機器、例えばエアコンに向けて、例えば、電源の入／切等の操作体３を押圧操作すると、この下方のスイッチ接点４の電気的接離が行われ、この電気的接離に応じて制御手段７が、送信手段６の発光素子６Ｂを発光させて、赤外線のリモコン信号が電子機器へ送信され、例えば、エアコンの電源の入／切等が遠隔操作によって行われる。
【０００９】
また、制御手段７が照光手段５の発光素子５Ｂを発光させ、この光が表示手段２を下面から照光して、例えば、表示手段２にエアコンの設定温度等が表示された状態で、温度増減等の操作体３を押圧操作すると、同様にこの下方のスイッチ接点４の電気的接離を制御手段７が検出し、表示手段２に表示された設定温度等が変化する。
【００１０】
そして、同時に、制御手段７が送信手段６の発光素子６Ｂを発光させて、温度増減等のリモコン信号が送信手段６から電子機器へ送信され、例えば、エアコンの温度が増加または減少する。
【００１１】
つまり、所定の操作体３の押圧操作によって、制御手段７が送信手段６から所定のリモコン信号を送信して、電子機器の遠隔操作を行うと共に、制御手段７が照光手段５によって表示手段２を照光し、表示手段２に様々な操作機能を表示することで、多様な操作を容易に行えるように構成されているものであった。
【００１２】
なお、このように制御手段７が照光手段５によって表示手段２を照光している状態では、図６（ａ）の波形図に示すように、電池８の電源電圧が例えば４．５Ｖであった場合、照光手段５の制限抵抗５Ｃに加わる電圧は、図６（ｂ）に示すように、例えば０．６Ｖで安定しており、流れる電流Ｉ１も一定となっている。
【００１３】
しかし、この状態で上記のように、電源の入／切や温度増減等の操作体３が押圧操作され、リモコン信号が送信手段６から送信されると、発光素子６Ｂに数百ｍＡの電流Ｉ２が流れるため、図６（ｃ）に示すように、電源電圧が不安定となり、１Ｖ前後の電圧変動が生じる。
【００１４】
そして、これによって、図６（ｄ）に示すように、照光手段５の制限抵抗５Ｃに印加される電圧も不安定となり、流れる電流Ｉ１も１５ｍＡ前後変動するため、発光素子５Ｂに点滅しているようなちらつきが生じ、表示手段２の表示が見づらいものとなってしまう場合がある。
【００１５】
なお、この出願の発明に関連する先行技術文献情報としては、例えば、特許文献１が知られている。
【特許文献１】特開２００７−５１９７号公報
【発明の開示】
【発明が解決しようとする課題】
【００１６】
しかしながら、上記従来のリモコン送信機においては、照光手段５が表示手段２を照光している状態で、操作体３を押圧操作して送信手段６からリモコン信号を送信した場合、電圧変動によって発光素子５Ｂにちらつきが生じ、表示手段２の表示が見えにくくなり、操作が行いづらくなってしまうという課題があった。
【００１７】
本発明は、このような従来の課題を解決するものであり、表示手段の表示が見易く、容易な操作が可能なリモコン送信機を提供することを目的とする。
【課題を解決するための手段】
【００１８】
上記目的を達成するために本発明は、照光手段のトランジスタのベースとベース抵抗の間に分圧抵抗を、トランジスタのエミッタに制限抵抗を各々設けてリモコン送信機を構成したものであり、照光手段が表示手段を照光している状態で、操作体を押圧操作して送信手段からリモコン信号を送信した場合でも、トランジスタのベースに接続された分圧抵抗と、エミッタに接続された制限抵抗によって、発光素子に流れる電流を一定に保つことができるため、発光素子のちらつきのない良好な照光が行え、表示手段の表示が見易く容易な操作が可能なリモコン送信機を得ることができるという作用を有するものである。
【発明の効果】
【００１９】
以上のように本発明によれば、表示手段の表示が見易く、容易な操作が可能なリモコン送信機を実現できるという有利な効果が得られる。
【発明を実施するための最良の形態】
【００２０】
以下、本発明の実施の形態について、図１〜図３を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるリモコン送信機のブロック回路図、図２は同斜視図であり、同図において、１は略箱型でポリスチレンやＡＢＳ等の絶縁樹脂製のケース、２は液晶表示素子等の表示手段、３は絶縁樹脂やゴム等の操作体で、表示手段２がケース１上面に装着されると共に、複数の操作体３がケース１上面の開口孔から上下動可能に突出している。
【００２３】
そして、ケース１内には銅箔等によって上下面に複数の配線パターンが形成された、紙フェノールやガラス入りエポキシ等の配線基板（図示せず）が収納されると共に、複数の操作体３下方の配線基板上面には、操作体３の上下動によって、電気的接離を行う複数のスイッチ接点４が形成されている。
【００２４】
また、表示手段２下方の配線基板上面には、トランジスタ１５Ａのコレクタに直列に接続された発光ダイオード等の発光素子１５Ｂと、ベースに接続されたベース抵抗１５Ｄから形成された照光手段１５が設けられている。
【００２５】
さらに、この照光手段１５のトランジスタ１５Ａのベースとベース抵抗１５Ｄの間には、一端がグランドに接続された分圧抵抗１５Ｅが接続されると共に、トランジスタ１５Ａのエミッタとグランドの間には制限抵抗１５Ｆが設けられている。
【００２６】
そして、この配線基板には同様に、トランジスタ６Ａや発光素子６Ｂ、制限抵抗６Ｃ、ベース抵抗６Ｄから形成された送信手段６が設けられると共に、マイコン等によって制御手段１７が形成され、この制御手段１７に配線パターンを介して、表示手段２やスイッチ接点４、照光手段１５、送信手段６、電池８等が接続されて、リモコン送信機が構成されている。
【００２７】
以上の構成において、リモコン送信機を操作する機器、例えばエアコンに向けて、例えば、電源の入／切等の操作体３を押圧操作すると、この下方のスイッチ接点４の電気的接離が行われ、この電気的接離に応じて制御手段１７が、送信手段６の発光素子６Ｂを発光させて、赤外線のリモコン信号が電子機器へ送信され、例えば、エアコンの電源の入／切等が遠隔操作によって行われる。
【００２８】
また、制御手段１７が照光手段１５の発光素子１５Ｂを発光させ、この光が表示手段２を下面から照光して、例えば、表示手段２にエアコンの設定温度等が表示された状態で、温度増減等の操作体３を押圧操作すると、同様にこの下方のスイッチ接点４の電気的接離を制御手段１７が検出し、表示手段２に表示された設定温度等が変化する。
【００２９】
そして、同時に、制御手段１７が送信手段６の発光素子６Ｂを発光させて、温度増減等のリモコン信号が送信手段６から電子機器へ送信され、例えば、エアコンの温度が増加または減少する。
【００３０】
つまり、所定の操作体３の押圧操作によって、制御手段１７が送信手段６から所定のリモコン信号を送信して、電子機器の遠隔操作を行うと共に、制御手段１７が照光手段１５によって表示手段２を照光し、表示手段２に様々な操作機能を表示することで、多様な操作を容易に行えるように構成されている。
【００３１】
なお、このように制御手段１７が照光手段１５によって表示手段２を照光している状態では、図３（ａ）の波形図に示すように、電池８の電源電圧が例えば４．５Ｖであった場合、照光手段１５の発光素子１５Ｂに加わる電圧は、図３（ｂ）に示すように、例えば０．３Ｖで安定しており、流れる電流Ｉ１も一定となっている。
【００３２】
しかし、この状態で上記のように、電源の入／切や温度増減等の操作体３が押圧操作され、リモコン信号が送信手段６から送信されると、発光素子６Ｂに数百ｍＡの電流Ｉ２が流れるため、図３（ｃ）に示すように、電源電圧が不安定となり、１Ｖ前後の電圧変動が生じる。
【００３３】
そして、この電源電圧の変動によって照光手段１５に印加される電圧も不安定となるが、図１に示すように、照光手段１５のトランジスタ１５Ａのベースとベース抵抗１５Ｄの間には、一端がグランドに接続された分圧抵抗１５Ｅが、トランジスタ１５Ａのエミッタとグランドの間には制限抵抗１５Ｆが各々設けられているため、これらによって発光素子１５Ｂに印加される電圧や流れる電流Ｉ１が一定となるようになっている。
【００３４】
つまり、ベース抵抗１５Ｄと分圧抵抗１５Ｅが交差するＢ点の電位は、制御手段１７のＡ点の出力、例えば４．４５Ｖからベース抵抗１５Ｄの抵抗値、例えば４．７ｋΩと分圧抵抗１５Ｅの抵抗値、例えば１．５ｋΩの比率によって決まり、例えば１Ｖと一定になっている。
【００３５】
また、トランジスタ１５Ａのベースとエミッタの間に生じる電圧降下は、例えば０．７Ｖと一定であるため、Ｃ点の電位はＢ点の電位からこの電圧降下を減じたものとなり、例えば０．３Ｖと一定になる。
【００３６】
さらに、Ｃ点の電位が一定であるため、例えば抵抗値が２０ｋΩの制限抵抗１５Ｆ両端の電圧は一定となって、この制限抵抗１５Ｆを流れる電流Ｉ３も一定となり、実際には電圧変動は０．０４Ｖ、電流変動も２ｍＡ程度の微少なものとなる。
【００３７】
そして、この制限抵抗１５Ｆに流れる電流Ｉ３と発光素子１５Ｂに流れる電流Ｉ１は等しいため、図３（ｄ）に示すように、発光素子１５Ｂに加わる電圧や流れる電流の変動は微少なものとなり、ちらつき等の殆んどない状態で、表示手段２の照光が行われるようになっている。
【００３８】
すなわち、照光手段１５のトランジスタ１５Ａのベースとベース抵抗１５Ｄの間に分圧抵抗１５Ｅを、トランジスタ１５Ａのエミッタに制限抵抗１５Ｆを各々設けることによって、操作体３を押圧操作して送信手段６からリモコン信号を送信した場合でも、照光手段１５の発光素子１５Ｂにちらつき等が生じることがないように構成されている。
【００３９】
つまり、照光手段１５の発光素子１５Ｂによる良好な照光が可能となり、表示手段２に表示された様々な操作機能が見易く、多様な遠隔操作を容易に行うことができるようになっている。
【００４０】
このように本実施の形態によれば、照光手段１５のトランジスタ１５Ａのベースとベース抵抗１５Ｄの間に分圧抵抗１５Ｅを、トランジスタ１５Ａのエミッタに制限抵抗１５Ｆを各々設けることによって、照光手段１５が表示手段２を照光している状態で、操作体３を押圧操作して送信手段６からリモコン信号を送信した場合でも、発光素子１５Ｂに流れる電流を一定に保つことができるため、発光素子１５Ｂのちらつきのない良好な照光が行え、表示手段２の表示が見易く容易な操作が可能なリモコン送信機を得ることができるものである。
【００４１】
なお、以上の説明では、遠隔操作する電子機器としてエアコンを用い、この電源の入／切や温度増減等を操作する構成について説明したが、テレビやビデオ、オーディオ機器等、様々な電子機器を遠隔操作するリモコン送信機においても、本発明の実施は可能である。
【産業上の利用可能性】
【００４２】
本発明によるリモコン送信機は、表示手段の表示が見易く、容易な操作が可能なものが得られ、主に各種電子機器の操作用として有用である。
【図面の簡単な説明】
【００４３】
【図１】本発明の一実施の形態によるリモコン送信機のブロック回路図
【図２】同斜視図
【図３】同波形図
【図４】従来のリモコン送信機のブロック回路図
【図５】同斜視図
【図６】同波形図
【符号の説明】
【００４４】
１  ケース
２  表示手段
３  操作体
４  スイッチ接点
６  送信手段
６Ａ、１５Ａ  トランジスタ
６Ｂ、１５Ｂ  発光素子
６Ｃ  制限抵抗
６Ｄ、１５Ｄ  ベース抵抗
８  電池
１５  照光手段
１５Ｅ  分圧抵抗
１５Ｆ  制限抵抗
１７  制御手段
【図１】
2010050659.tif 000003
【図２】
2010050659.tif 000004
【図３】
2010050659.tif 000005
【図４】
2010050659.tif 000006
【図５】
2010050659.tif 000007
【図６】
2010050659.tif 000008